(57)【要約】【課題】読み取り開始時間を遅延させずに適確にゴミ検出処理を行うことができる画像読取装置を提供する。【解決手段】ここでの原稿読取りの動作処理は、画像読取装置の基本構成（機能構成）上において、画像データから読み取り位置に存在するゴミを検出するゴミ検出手段の働きとして、ゴミの検出を原稿の読取り終了後から次の原稿の読取り開始までのアイドリング中の期間のタイミングで行うことを基本とし、更に、ゴミの検出を原稿の読取り終了から任意に設定可能な一定期間の経過後に行い、一定期間が経過するまでは露光ランプの点灯状態を維持する機能を持つことを示す。【選択図】図１
2010220052.tif 000002
【特許請求の範囲】
【請求項１】
読み取り光学系を備えたキャリッジと、原稿を搬送する原稿搬送手段と、前記キャリッジを移動させるキャリッジ移動手段とを有し、前記キャリッジを固定し、前記原稿搬送手段による搬送途中に前記原稿を読み取ると共に、当該原稿搬送手段によって当該原稿が読み取り位置に搬送される前に前記読み取り光学系によって読み取り位置の画像データを取得でき、且つ当該画像データから読み取り位置に存在するゴミを検出するゴミ検出手段を有する画像読取装置において、前記ゴミ検出手段は、前記ゴミの検出を前記原稿の読取り終了後から次の原稿の読取り開始までのアイドリング中の期間のタイミングで行うことを特徴とする画像読取装置。
【請求項２】
請求項１記載の画像読取装置において、前記ゴミ検出手段による前記ゴミの検出を前記原稿の読取り終了から任意に設定可能な一定期間の経過後に行い、前記一定期間が経過するまでは露光ランプの点灯状態を維持することを特徴とする画像読取装置。
【請求項３】
請求項１又は２記載の画像読取装置において、前記ゴミの検出が前記アイドリング中の期間のタイミングで行われたか否かを判断し、行われていなければ前記次の原稿の読取り開始前に当該ゴミの検出を行うことを特徴とする画像読取装置。
【請求項４】
請求項３記載の画像読取装置において、前記ゴミの検出が前記アイドリング中の期間のタイミングで行われていると共に、ドキュメント・フィーダーのリフトアップ／ダウンがあれば、前記次の原稿の読取り開始前に当該ゴミの検出を行うことを特徴とする画像読取装置。
【請求項５】
請求項１〜４の何れか１項に記載の画像読取装置において、前記ゴミ検出手段による前記ゴミの検出を前記アイドリング中の期間のタイミングで行わせる第１のモード機能と、前記ゴミ検出手段による前記ゴミの検出を前記原稿の読取り開始の先頭で行わせる第２のモード機能とを選択して設定できることを特徴とする画像読取装置。
【発明の詳細な説明】
【技術分野】
【０００１】
本発明は、例えばイメージスキャナ、デジタル複写機やファクシミリ装置におけるスキャナ部等であって、原稿を読み取る露光走査ユニットが移動することにより、原稿を読み取る画像読取装置に関する。
【背景技術】
【０００２】
従来、デジタル複写機、スキャナ装置等に装備される画像読取装置には、ＣＣＤラインイメージセンサに原稿画像を伝達する読み取り光学系（ミラー、ランプ等）を載せたキャリッジを、副走査方向（ＣＣＤの主走査ラインに直交する方向）に移動させ、固定した原稿の画像情報を読み取る方式（以下、ブックリードモードとする）、及び固定した読み取り光学系上をオートマティック・ドキュメント・フィーダー（ＡＤＦ）により原稿を搬送させ、移動する原稿を読み取る方式（以下、シートスルーモードとする）がある。
【０００３】
近年、シートスルーモードの光学系を有する画像読取装置は、ブックリードモードの画像読取装置よりも読み取り速度が速く、構造がシンプルである等の理由から使用頻度が高くなっている。
【０００４】
ところが、シートスルーモードにおいては、原稿の読み取り面にゴミ、傷等が発生すると原稿送り方向（縦方向）にスジが残ってしまう。
【０００５】
そこで、こうした問題を対策した周知技術の一例として、原稿が読み取り位置に搬送されてくる前に、ゴミ検出手段により読み取り位置のゴミ検出処理を読取動作毎に実行し、その読み取り位置においてゴミ検出された場合には、副走査方向にキャリッジを移動させることにより読み取り位置を移動させ、読み取った画像へのゴミの影響を抑制し、適正な画像データを得ることができる画像読取装置、及び画像読取方法（特許文献１参照）が提案されている。
【発明の概要】
【発明が解決しようとする課題】
【０００６】
上述した特許文献１に係る技術は、読取動作前に必ずゴミ検出処理を行うものであるため、読み取り開始がゴミ検出処理の時間分遅れてしまう上、ゴミ検出処理においてゴミ検出が認識された場合にはキャリッジを物理的に移動させるため、更に読み取り開始が遅れてしまい、結果として一連の読み取り時間が増大してしまうという問題がある。
【０００７】
本発明は、このような問題点を解決すべくなされたもので、その技術的課題（目的）は、読み取り開始時間を遅延させずに適確にゴミ検出処理を行うことができる画像読取装置を提供することにある。
【課題を解決するための手段】
【０００８】
本発明は、上記技術的課題を解決したものであり、請求項１に係る発明は、読み取り光学系を備えたキャリッジと、原稿を搬送する原稿搬送手段と、前記キャリッジを移動させるキャリッジ移動手段とを有し、前記キャリッジを固定し、前記原稿搬送手段による搬送途中に前記原稿を読み取ると共に、当該原稿搬送手段によって当該原稿が読み取り位置に搬送される前に前記読み取り光学系によって読み取り位置の画像データを取得でき、且つ当該画像データから読み取り位置に存在するゴミを検出するゴミ検出手段を有する画像読取装置において、前記ゴミ検出手段は、前記ゴミの検出を前記原稿の読取り終了後から次の原稿の読取り開始までのアイドリング中の期間のタイミングで行うことを特徴とする。
【０００９】
請求項２に係る発明は、上記請求項１の画像読取装置において、前記ゴミ検出手段による前記ゴミの検出を前記原稿の読取り終了から任意に設定可能な一定期間の経過後に行い、前記一定期間が経過するまでは露光ランプの点灯状態を維持することを特徴とする。
【００１０】
請求項３に係る発明は、上記請求項１又は２の画像読取装置において、前記ゴミの検出が前記アイドリング中の期間のタイミングで行われたか否かを判断し、行われていなければ前記次の原稿の読取り開始前に当該ゴミの検出を行うことを特徴とする。
【００１１】
請求項４に係る発明は、上記請求項３の画像読取装置において、前記ゴミの検出が前記アイドリング中の期間のタイミングで行われていると共に、ドキュメント・フィーダー（ＤＦ）のリフトアップ／ダウンがあれば、前記次の原稿の読取り開始前に当該ゴミの検出を行うことを特徴とする。
【００１２】
請求項５に係る発明は、上記請求項１〜４の何れか１つの画像読取装置において、前記ゴミ検出手段による前記ゴミの検出を前記アイドリング中の期間のタイミングで行わせる第１のモード機能と、前記ゴミ検出手段による前記ゴミの検出を前記原稿の読取り開始の先頭で行わせる第２のモード機能とを選択して設定できることを特徴とする。
【発明の効果】
【００１３】
請求項１の画像読取装置によれば、装置が原稿を読み取っていないアイドリング中にゴミ検出を行い、同時に読み取り位置の移動（キャリッジ移動）を実行すること、即ち、原稿の読取りと次の原稿の読取りの紙間でゴミ検出処理と読み取り位置の移動とを実行することによって、原稿を読み取る直前にはゴミ検出処理が実行されないために読み取り開始時間が遅延されず、結果として読み取り生産性を向上させてゴミの存在による縦スジ画像の発生を抑制できるという相乗効果を奏する。
【００１４】
請求項２の画像読取装置によれば、請求項１の効果に加えて、紙間でのゴミ検出処理中に次の原稿読取りが開始されようとすると、ゴミ検出処理の終了を待つ必要があるため、次の原稿読取り開始を遅らせてしまうことを対策し、一定期間経過するまでゴミ検出処理を開始せずに待つことにより、次の読み取りが開始されないことを十分確認してゴミ検出処理を実行すれば読み取り生産性を確保することができる。また、ユーザの使用形態に合わせて一定期間を設定することを可能としているため、例えば生産性重視で画像品質に拘らないユーザは一定期間を長く設定すると、ゴミ検出処理による生産性ダウンの少ない環境で装置を利用でき、逆に画像品質重視で生産性に拘らないユーザは一定期間を短く設定すると、ゴミ検出処理を確実に実行（極端な場合には零設定として読取り終了後に必ずゴミ検出処理を行わせることも可能）し、画像品質を確保できる。更に、露光ランプを消灯すると次回点灯時に光量が安定するまで時間がかかってしまうという問題を対策し、ゴミ検出処理が完全に終わるまで露光ランプを点灯したままの状態を維持することにより、露光ランプの光量安定待ち時間を省略し、ゴミ検出処理に必要な時間を短縮することができ、結果として仮に紙間でのゴミ検出処理中に次の原稿読取りが開始されようとしても、より短時間で次の原稿読取りを開始することができる。
【００１５】
請求項３の画像読取装置によれば、請求項１又は２の効果に加えて、読取り実行前には必ず１度はゴミ検出処理が実行されるため、良好に画像品質を確保することができる。
【００１６】
請求項４の画像読取装置によれば、請求項３の効果に加えて、読取り位置へのゴミは主に原稿の搬送中に付着するため、本発明の手法で原稿読取り後にゴミ検出処理を行うと大抵の場合は検出可能であるが、読取り終了後に長時間装置を放置した場合や、或いは読取り終了後にドキュメント・フィーダー（ＤＦ）をリフトアップ／ダウンさせた場合等では、外部からの埃や粉塵等の付着が発生することも想定されるため、こうした場合の対策として、ゴミ検出処理の実行後にドキュメント・フィーダー（ＤＦ）のリフトアップ／ダウンが行われていることを確認した場合には、念のために印刷ジョブの先頭でゴミ検出処理を実行することにより、良好に画像品質を確保することができる。
【００１７】
請求項５の画像読取装置によれば、請求項１〜４の効果に加えて、より画像品質を重視するユーザへの設定を配慮し、本発明の手法の機能と、生産性を犠牲にして毎回読取りジョブの先頭でゴミ検出処理を行う機能（特許文献１の機能）とを選択的に設定することができる。
【図面の簡単な説明】
【００１８】
【図１】本発明の実施例１に係る画像読取装置の原稿読取りの動作処理を示したフローチャートである。
【図２】本発明の実施例２に係る画像読取装置の原稿読取りの動作処理を示したフローチャートである。
【図３】本発明の実施例３に係る画像読取装置の原稿読取りの動作処理を示したフローチャートである。
【図４】本発明の実施例４に係る画像読取装置の原稿読取りの動作処理を示したフローチャートである。
【発明を実施するための形態】
【００１９】
以下に、本発明の画像読取装置について、幾つかの実施例を挙げ、図面を参照して詳細に説明する。なお、本発明の画像読取装置は、特許文献１に開示された基本構成（機能構成）を適用するもので、その搬送され原稿間でゴミ検出する処理を改良し、原稿が読み取り位置に搬送されてくる前に、ゴミ検出手段により読み取り位置のゴミ検出処理を実行するとき、読取り開始時間を遅延させずにゴミ検出処理を実行することにより、ゴミ等による縦スジ画像の発生を抑制する機能を持たせたことを技術的概要とする。
【実施例１】
【００２０】
図１は、本発明の実施例１に係る画像読取装置の原稿読取りの動作処理を示したフローチャートである。この原稿読取りの動作処理は、予め読取り終了からゴミ検出処理を開始するまでの時間を設定することを特徴とする。
【００２１】
原稿読取りの基本動作手順として、ユーザがドキュメント・フィーダー（ＤＦ）へ原稿をセットし、オペレーションパネルから読取り開始キーを押下して読取り開始要求を受付けると、露光ランプ点灯（ステップＳ１）の処理を経てドキュメント・フィーダー（ＤＦ）による原稿の搬送開始（ステップＳ２）となる。
【００２２】
そこで、原稿先端が読取り位置に到達したか否かを原稿先端か否かの判定（ステップＳ３）により行い、その判定の結果、原稿先端でなければこの判定の前にリターンして待機するが、原稿先端であれば（原稿先端が読取り位置に到達していれば）、原稿読取り（ステップＳ４）の処理を開始する。
【００２３】
引き続き、原稿後端が読取り位置を通過したか否かを原稿後端か否かの判定（ステップＳ５）により行い、その判定の結果、原稿後端でなければこの判定の前にリターンして待機するが、原稿後端であれば（原稿後端が読取り位置を通過していれば）、原稿読取り（ステップＳ４）の処理を終了する。
【００２４】
但し、ここでドキュメント・フィーダー（ＤＦ）上に原稿が残っていれば、動作継続する必要があるため、更に次原稿ありか否かを判定（ステップＳ６）し、次原稿があれば（原稿が残っていれば）、原稿搬送開始（ステップＳ２）の処理の前にリターンして原稿搬送から読取りまでの一連の動作処理を継続するようにするが、次原稿がなければ（原稿が残っていなければ）、読取り処理を終了する。
【００２５】
このようにして、読取り処理が終了すると、ゴミ検出処理開始用にタイマーをスタート（ステップＳ７）させ、タイマーがタイムアップ(予め設定したゴミ検出開始時間が経過)するまで待機するようにして、次の読取り開始要求があるか否かを次要求ありか否かの判定（ステップＳ８）により行い、その判定の結果、次要求がなければ（次の読取り開始要求がなければ）、引き続いてタイマーがタイムアップであるか否かの判定（ステップＳ９）を行い、次要求がなく、しかもタイマーがタイムアップであればゴミ検出処理（ステップＳ１０）を実行した後、露光ランプを消灯（ステップＳ１１）して動作終了する。
【００２６】
なお、先の次要求ありか否かの判定（ステップＳ８）の結果、次要求があれば（次の読取り開始要求があれば）、ゴミ検出処理（ステップＳ１０）を行わずに露光ランプを消灯（ステップＳ１１）する処理にジャンプしてから動作終了する。
【００２７】
以上の実施例１に係る原稿読取りの動作処理は、画像読取装置の基本構成（機能構成）上において、画像データから読み取り位置に存在するゴミを検出するゴミ検出手段の働きとして、ゴミの検出を原稿の読取り終了後から次の原稿の読取り開始までのアイドリング中の期間のタイミングで行うことを基本とし、更に、ゴミの検出を原稿の読取り終了から任意に設定可能な一定期間の経過後に行い、一定期間が経過するまでは露光ランプの点灯状態を維持する機能を持つことを示す。
【実施例２】
【００２８】
図２は、本発明の実施例２に係る画像読取装置の原稿読取りの動作処理を示したフローチャートである。この原稿読取りの動作処理は、装置の電源ＯＮの初期化シーケンス時に初期化されるゴミ検出実施用のフラグをＳＥＴ／ＲＥＳＥＴ設定して用いることを特徴とする。
【００２９】
原稿読取りの基本動作手順として、ユーザがドキュメント・フィーダー（ＤＦ）へ原稿をセットし、オペレーションパネルから読取り開始キーを押下して読取り開始要求を受付けると、露光ランプ点灯（ステップＳ２１）の処理を経た後、ドキュメント・フィーダー（ＤＦ）搬送前にゴミ検出実施フラグがＳＥＴか否かの判定（ステップＳ２２）を行う。
【００３０】
この判定の結果、ＳＥＴでなければ（ＲＥＳＥＴであれば）、前回の読取りジョブ終了後にゴミ検出処理が行われる前に次の読取り要求がなされているので、改めてゴミ検出処理（ステップＳ２３）を行うが、ＳＥＴであれば、前回の読取りジョブ終了時にゴミ検出処理が行われているので、ここでは何もせずにゴミ検出処理（ステップＳ２３）を実行した後と同様にドキュメント・フィーダー（ＤＦ）による原稿の搬送開始（ステップＳ２４）となり、その後にゴミ検出実施フラグをＲＥＳＥＴ（ステップＳ２５）とする。
【００３１】
そこで、原稿先端が読取り位置に到達したか否かを原稿先端か否かの判定（ステップＳ２６）により行い、その判定の結果、原稿先端でなければこの判定の前にリターンして待機するが、原稿先端であれば（原稿先端が読取り位置に到達していれば）、原稿読取り（ステップＳ２７）の処理を開始する。
【００３２】
引き続き、原稿後端が読取り位置を通過したか否かを原稿後端か否かの判定（ステップＳ２８）により行い、その判定の結果、原稿後端でなければこの判定の前にリターンして待機するが、原稿後端であれば（原稿後端が読取り位置を通過していれば）、原稿読取り（ステップＳ２７）の処理を終了する。
【００３３】
但し、ここでもドキュメント・フィーダー（ＤＦ）上に原稿が残っていれば、動作継続する必要があるため、更に次原稿ありか否かを判定（ステップＳ２９）し、次原稿があれば（原稿が残っていれば）、原稿搬送開始（ステップＳ２４）の処理の前にリターンして原稿搬送から読取りまでの一連の動作処理を継続するようにするが、次原稿がなければ（原稿が残っていなければ）、読取り処理を終了する。
【００３４】
このようにして、読取り処理が終了すると、実施例１の場合と同様にゴミ検出処理開始用にタイマーをスタート（ステップＳ３０）させ、タイマーがタイムアップ(予め設定したゴミ検出開始時間が経過)するまで待機するようにして、次の読取り開始要求があるか否かを次要求ありか否かの判定（ステップＳ３２）により行い、その判定の結果、次要求がなければ（次の読取り開始要求がなければ）、引き続いてタイマーがタイムアップであるか否かの判定（ステップＳ３２）を行い、次要求がなく、しかもタイマーがタイムアップであればゴミ検出処理（ステップＳ３３）を実行した後、ゴミ検出実施フラグをＳＥＴ（ステップＳ３４）にしてから露光ランプを消灯（ステップＳ３５）して動作終了する。
【００３５】
なお、先の次要求ありか否かの判定（ステップＳ３１）の結果、次要求があれば（次の読取り開始要求があれば）、ゴミ検出処理（ステップＳ３３）、並びにゴミ検出実施フラグをＳＥＴ（ステップＳ３４）とする処理を行わずに露光ランプを消灯（ステップＳ３５）する処理にジャンプしてから動作終了する。
【００３６】
以上の実施例２に係る原稿読取りの動作処理は、画像読取装置の基本構成（機能構成）上において、ゴミ検出手段によるゴミの検出がアイドリング中の期間のタイミングで行われたか否かを判断し、行われていなければ次の原稿の読取り開始前にゴミの検出を行う機能を持つことを示す。
【実施例３】
【００３７】
図３は、本発明の実施例３に係る画像読取装置の原稿読取りの動作処理を示したフローチャートである。この原稿読取りの動作処理は、装置の電源ＯＮの初期化シーケンス時に初期化されるゴミ検出実施用のフラグをドキュメント・フィーダー（ＤＦ）のリフトアップ／ダウンに応じてＳＥＴ／ＲＥＳＥＴ設定して用いることを特徴とする。
【００３８】
原稿読取りの基本動作手順として、ユーザがドキュメント・フィーダー（ＤＦ）へ原稿をセットし、オペレーションパネルから読取り開始キーを押下して読取り開始要求を受付けると、露光ランプ点灯（ステップＳ４１）の処理を経た後、ドキュメント・フィーダー（ＤＦ）搬送前にゴミ検出実施フラグがＳＥＴか否かの判定（ステップＳ４２）を行う。
【００３９】
この判定の結果、ＳＥＴでなければ（ＲＥＳＥＴであれば）、前回の読取りジョブ終了後にゴミ検出処理が行われる前に次の読取り要求がなされているので、改めてゴミ検出処理（ステップＳ４３）を行うが、ＳＥＴであれば、前回の読取りジョブ終了時からドキュメント・フィーダー（ＤＦ）のリフトアップ／ダウンが行われている（実施されている）か否かをドキュメント・フィーダー（ＤＦ）のリフトＵ／Ｄありか否かの判定（ステップＳ４４）により行い、その判定の結果、リフトＵ／Ｄが実施されていれば改めてゴミ検出処理（ステップＳ４３）を行い、リフトＵ／Ｄが実施されていなければ、ここでは何もせずにゴミ検出処理（ステップＳ４３）を実行した後と同様にドキュメント・フィーダー（ＤＦ）による原稿の搬送開始（ステップＳ４５）となり、その後にゴミ検出実施フラグをＲＥＳＥＴ（ステップＳ４６）とする。
【００４０】
この後の動作処理については、実施例２の場合と同様である。即ち、原稿先端が読取り位置に到達したか否かを原稿先端か否かの判定（ステップＳ４７）により行い、その判定の結果、原稿先端でなければこの判定の前にリターンして待機するが、原稿先端であれば（原稿先端が読取り位置に到達していれば）、原稿読取り（ステップＳ４８）の処理を開始する。
【００４１】
引き続き、原稿後端が読取り位置を通過したか否かを原稿後端か否かの判定（ステップＳ４９）により行い、その判定の結果、原稿後端でなければこの判定の前にリターンして待機するが、原稿後端であれば（原稿後端が読取り位置を通過していれば）、原稿読取り（ステップＳ４８）の処理を終了する。
【００４２】
但し、ここでもドキュメント・フィーダー（ＤＦ）上に原稿が残っていれば、動作継続する必要があるため、更に次原稿ありか否かを判定（ステップＳ５０）し、次原稿があれば（原稿が残っていれば）、原稿搬送開始（ステップＳ４５）の処理の前にリターンして原稿搬送から読取りまでの一連の動作処理を継続するようにするが、次原稿がなければ（原稿が残っていなければ）、読取り処理を終了する。
【００４３】
このようにして、読取り処理が終了すると、ゴミ検出処理開始用にタイマーをスタート（ステップＳ５１）させ、タイマーがタイムアップ(予め設定したゴミ検出開始時間が経過)するまで待機するようにして、次の読取り開始要求があるか否かを次要求ありか否かの判定（ステップＳ５２）により行い、その判定の結果、次要求がなければ（次の読取り開始要求がなければ）、引き続いてタイマーがタイムアップであるか否かの判定（ステップＳ５３）を行い、次要求がなく、しかもタイマーがタイムアップであればゴミ検出処理（ステップＳ５４）を実行した後、ゴミ検出実施フラグをＳＥＴ（ステップＳ５５）にしてから露光ランプを消灯（ステップＳ５６）して動作終了する。
【００４４】
なお、ここでも先の次要求ありか否かの判定（ステップＳ５２）の結果、次要求があれば（次の読取り開始要求があれば）、ゴミ検出処理（ステップＳ５４）、並びにゴミ検出実施フラグをＳＥＴ（ステップＳ５５）とする処理を行わずに露光ランプを消灯（ステップＳ５６）する処理にジャンプしてから動作終了する。
【００４５】
以上の実施例３に係る原稿読取りの動作処理は、画像読取装置の基本構成（機能構成）上において、ゴミ検出手段によるゴミの検出がアイドリング中の期間のタイミングで行われていると共に、ドキュメント・フィーダーのリフトアップ／ダウンがあれば、次の原稿の読取り開始前にゴミの検出を行う機能を持つことを示す。
【実施例４】
【００４６】
図４は、本発明の実施例４に係る画像読取装置の原稿読取りの動作処理を示したフローチャートである。この原稿読取りの動作処理は、先の実施例３に係る原稿読取りの動作処理を、ゴミ検出手段によるゴミの検出を原稿の読取り開始の先頭で行わせる通常モード（特許文献１に開示された機能のモード）と選択的に行わせることを特徴とする。即ち、ここでは先の実施例３に係る原稿読取りの動作処理について、紙間でゴミ検出を行う紙間ゴミ検出モード（第１のモード）の機能に対し、ジョブの先頭でゴミ検出を行う通常ゴミ検出モード（第２のモード）の機能を持たせ、両モードの機能を選択的に使用するものである。
【００４７】
原稿読取りの基本動作手順として、ユーザがドキュメント・フィーダー（ＤＦ）へ原稿をセットし、オペレーションパネルから読取り開始キーを押下して読取り開始要求を受付けると、露光ランプ点灯（ステップＳ６１）の処理を経た後、ドキュメント・フィーダー（ＤＦ）搬送前に通常ゴミ検出モードであるか、或いは紙間ゴミ検出モードであるかを通常モードであるか否かの判定（ステップＳ６２）により行い、その判定の結果、通常モードであれば（通常ゴミ検出モードであれば）、ここでゴミ検出処理（ステップＳ６３）を行うが、通常モードでなければ（紙間ゴミ検出モードであれば）、ゴミ検出実施フラグがＳＥＴか否かの判定（ステップＳ６４）を行う。
【００４８】
この判定の結果、ＳＥＴでなければ（ＲＥＳＥＴであれば）、前回の読取りジョブ終了後にゴミ検出処理が行われる前に次の読取り要求がなされているので、改めてゴミ検出処理（ステップＳ６３）を行うが、ＳＥＴであれば、前回の読取りジョブ終了時からドキュメント・フィーダー（ＤＦ）のリフトアップ／ダウンが行われている（実施されている）か否かをドキュメント・フィーダー（ＤＦ）のリフトＵ／Ｄありか否かの判定（ステップＳ６５）により行い、その判定の結果、リフトＵ／Ｄが実施されていれば改めてゴミ検出処理（ステップＳ６３）を行い、リフトＵ／Ｄが実施されていなければ、ここでは何もせずにゴミ検出処理（ステップＳ６３）を実行した後と同様にドキュメント・フィーダー（ＤＦ）による原稿の搬送開始（ステップＳ６６）となり、その後にゴミ検出実施フラグをＲＥＳＥＴ（ステップＳ６７）とする。
【００４９】
この後の動作処理については、実施例３の場合と概ね同様である。即ち、原稿先端が読取り位置に到達したか否かを原稿先端か否かの判定（ステップＳ６８）により行い、その判定の結果、原稿先端でなければこの判定の前にリターンして待機するが、原稿先端であれば（原稿先端が読取り位置に到達していれば）、原稿読取り（ステップＳ６９）の処理を開始する。
【００５０】
引き続き、原稿後端が読取り位置を通過したか否かを原稿後端か否かの判定（ステップＳ７０）により行い、その判定の結果、原稿後端でなければこの判定の前にリターンして待機するが、原稿後端であれば（原稿後端が読取り位置を通過していれば）、原稿読取り（ステップＳ６９）の処理を終了する。
【００５１】
但し、ここでもドキュメント・フィーダー（ＤＦ）上に原稿が残っていれば、動作継続する必要があるため、更に次原稿ありか否かを判定（ステップＳ７１）し、次原稿があれば（原稿が残っていれば）、原稿搬送開始（ステップＳ６６）の処理の前にリターンして原稿搬送から読取りまでの一連の動作処理を継続するようにするが、次原稿がなければ（原稿が残っていなければ）、読取り処理を終了する。
【００５２】
このようにして、読取り処理が終了すると、再度通常モードであるか否かの判定（ステップＳ７２）を行い、その判定の結果、通常モードでなければ（紙間ゴミ検出モードであれば）、ゴミ検出処理開始用にタイマーをスタート（ステップＳ７３）させ、タイマーがタイムアップ(予め設定したゴミ検出開始時間が経過)するまで待機するようにして、次の読取り開始要求があるか否かを次要求ありか否かの判定（ステップＳ７４）により行い、その判定の結果、次要求がなければ（次の読取り開始要求がなければ）、引き続いてタイマーがタイムアップであるか否かの判定（ステップＳ７５）を行い、次要求がなく、しかもタイマーがタイムアップであればゴミ検出処理（ステップＳ７６）を実行した後、ゴミ検出実施フラグをＳＥＴ（ステップＳ７７）にしてから露光ランプを消灯（ステップＳ７８）して動作終了する。
【００５３】
なお、ここでも先の次要求ありか否かの判定（ステップＳ７４）の結果、次要求があれば（次の読取り開始要求があれば）、通常モードであるか否かの判定（ステップＳ７２）の判定の結果、通常モードである場合と同様に、ゴミ検出処理（ステップＳ７６）、並びにゴミ検出実施フラグをＳＥＴ（ステップＳ７７）とする処理を行わずに露光ランプを消灯（ステップＳ７８）する処理にジャンプしてから動作終了する。
【００５４】
以上の実施例４に係る原稿読取りの動作処理は、画像読取装置の基本構成（機能構成）上において、ゴミ検出手段によるゴミの検出をアイドリング中の期間のタイミングで行わせる第１のモード機能と、ゴミ検出手段によるゴミの検出を原稿の読取り開始の先頭で行わせる第２のモード機能とを選択して設定できる機能を持つことを示す。
【産業上の利用可能性】
【００５５】
本発明の画像読取装置における原稿読取りの動作処理の機能構成は、ディジタル複写機、ファクシミリ、プリンタ、スキャナ、ネットワークファイルサーバ等の画像入出力機器、又はこれらのうちの複数の機能を備えたデジタル複合機に適用することができる。
【先行技術文献】
【特許文献】
【００５６】
【特許文献１】特開２００６−２６２２８５号公報
【図１】
2010220052.tif 000003
【図２】
2010220052.tif 000004
【図３】
2010220052.tif 000005
【図４】
2010220052.tif 000006